(57)【要約】【課題】第２吐水部から吐水される洗浄水の前方向向きの速度成分を低減させて、従来よりも横方向に吐水させ、ボウル部内の洗浄水を従来よりも縦方向に旋回させる流れを形成して、汚物の排出性能を向上することができる水洗大便器を提供する。【解決手段】本発明の水洗大便器１は、汚物受け面８とリム部１０とを備えたボウル部４と、トラップ管路６と、第１吐水部１６と、洗浄水をボウル部４内へ吐水してボウル部４内の洗浄水を上下方向に攪拌する流れを形成する第２吐水部２２と、第１吐水部１６に洗浄水を供給する第１通水路２８と、第２吐水部２２に洗浄水を供給する第２通水路３０と、第２通水路３０又は第２吐水部２２に形成され、第２吐水部２２から吐水される洗浄水の流れを、前後方向に独立した２つ以上の流れに分ける壁部材３８と、を有することを特徴とする。【選択図】図５
2015017460.tif 000002
【特許請求の範囲】
【請求項１】
洗浄水により便器を洗浄して汚物を排出する水洗大便器であって、
ボウル形状の汚物受け面と、この汚物受け面の上方に位置しその内壁面の上部が内側に向って張り出しているリム部と、を備えたボウル部と、
このボウル部の底部と連通して延び上記ボウル部内の汚物を排出すると共に上記ボウル部の初期溜水水位を規定するトラップ管路と、
上記リム部に洗浄水を吐水して上記汚物受け面上を旋回する旋回流を形成する第１吐水部と、
上記ボウル部の側面で且つ上記リム部よりも下方で且つ上記初期溜水水位よりも上方の位置に形成され、洗浄水をボウル部内へ吐水して上記ボウル部内の洗浄水を上下方向に攪拌する流れを形成する第２吐水部と、
上記第１吐水部に洗浄水を供給する第１通水路と、
上記第２吐水部に洗浄水を供給する第２通水路と、
上記第２通水路又は上記第２吐水部に形成され、上記第２吐水部から吐水される洗浄水の流れを、前後方向に独立した２つ以上の流れに分ける壁部材と、
を有することを特徴とする水洗大便器。
【請求項２】
上記壁部材は、上記第２吐水部又は第２吐水部外側の近傍に設けられていることを特徴とする請求項１記載の水洗大便器。
【請求項３】
上記壁部材は、上記第２吐水部の上面から底面まで延びて形成されていることを特徴とする請求項２記載の水洗大便器。
【請求項４】
上記壁部材は、ほぼ円柱状に形成され、上下方向にほぼ垂直に配置されていることを特徴とする請求項２又は３記載の水洗大便器。
【請求項５】
上記壁部材は、上記第２吐水部から上流側に所定長さ延びる壁を形成していることを特徴とする請求項１記載の水洗大便器。
【請求項６】
上記壁部材は、上記第２吐水部の外側の近傍に形成され、便器内側後方向きに突出して形成されていることを特徴とする請求項１記載の水洗大便器。
【発明の詳細な説明】
【技術分野】
【０００１】
本発明は、水洗大便器に係わり、特に、洗浄水により便器を洗浄して汚物を排出する水洗大便器に関する。
【背景技術】
【０００２】
従来から、便器を洗浄して汚物を排出する水洗大便器として、例えば、特許文献１に記載されているように、リム部に洗浄水を吐水して汚物受け面上を旋回する旋回流を形成する第１吐水口を備え、さらに、ボウル部の側面に形成され、洗浄水をボウル部内へほぼ水平方向に吐水してボウル部内の溜水を上下方向に攪拌する流れを形成する第２吐水口を備えたものが知られている。このような特許文献１に記載されている水洗大便器においては、従来、第１吐水口から吐水される洗浄水により形成される旋回流のみでは、ボウル部に浮遊している浮遊汚物の排出性能が低いという課題を解決するために、第１吐水口以外に設けられた第２吐水口から吐水された洗浄水を利用して斜め方向の旋回に近い縦方向（上下方向）の旋回流を形成しようとするものである。そして、この縦方向の旋回流によって、水面の浮遊汚物が溜水内に沈められ、溜水内に沈んでいた汚物と共にトラップ管路から排出することができるようになっている。
【先行技術文献】
【特許文献】
【０００３】
【特許文献１】特許第３９７５４８６号公報
【発明の概要】
【発明が解決しようとする課題】
【０００４】
上述した特許文献１に記載されている従来の水洗大便器においては、従来は、第２吐水口から吐水された洗浄水が斜め方向の旋回流を形成するような場合においても、洗浄水量が比較的多いので汚物を排出できていた。
しかしながら、例えば１回の洗浄水量を８リットルから６リットルに低減させるような近年の節水化の過程において、節水化により洗浄水量が減少される場合、第２吐水口から吐水される洗浄水が前方向速度成分を有していることにより水平方向に近いような斜め方向の旋回流を生じさせることとなり、縦方向の旋回流が十分に形成できず浮遊汚物などの汚れが残りやすくなってしまうという問題が生じている。
また、節水化により洗浄水量が減少される場合、十分な旋回流を生じさせるために、第２吐水口から吐水される洗浄水の水量を確保するため第２吐水口の開口面積を比較的大きな開口面積に形成しようとする場合、かえって第２吐水口から洗浄水が前方向に吐水され、水平方向に近いような斜め方向の旋回流を生じさせることとなり、縦方向の旋回流が十分に形成できず浮遊汚物などの汚れが残りやすくなってしまうという問題が生じている。
従って、節水化により洗浄水量が低減される場合には、第２吐水口から吐水された洗浄水をより垂直に近い縦方向の旋回流を形成させ、縦方向の旋回流を強く形成させ、汚物の排出性能を向上させるという課題が生じている。
さらに、洗浄の後半においては、第２吐水口から吐水される洗浄水が、流れの勢いが弱くなり洗浄に寄与しなくなり、洗浄不良を生じさせる問題が生じている。
【０００５】
そこで、本発明は、従来の水洗大便器の問題点を解決するためになされたものであり、第２吐水部から吐水される洗浄水の前方向向きの速度成分を低減させて、従来よりも横方向に吐水させ、ボウル部内の洗浄水を従来よりも縦方向に旋回させる流れを形成して、汚物の排出性能を向上することを目的としている。
【課題を解決するための手段】
【０００６】
上述した目的を達成するために、本発明は、洗浄水により便器を洗浄して汚物を排出する水洗大便器であって、ボウル形状の汚物受け面と、この汚物受け面の上方に位置しその内壁面の上部が内側に向って張り出しているリム部と、を備えたボウル部と、このボウル部の底部と連通して延びボウル部内の汚物を排出すると共に上記ボウル部の初期溜水水位を規定するトラップ管路と、リム部に洗浄水を吐水して汚物受け面上を旋回する旋回流を形成する第１吐水部と、ボウル部の側面で且つリム部よりも下方で且つ初期溜水水位よりも上方の位置に形成され、洗浄水をボウル部内へ吐水してボウル部内の洗浄水を上下方向に攪拌する流れを形成する第２吐水部と、第１吐水部に洗浄水を供給する第１通水路と、第２吐水部に洗浄水を供給する第２通水路と、第２通水路又は第２吐水部に形成され、第２吐水部から吐水される洗浄水の流れを、前後方向に独立した２つ以上の流れに分ける壁部材と、を有することを特徴とする。
このように構成された本発明においては、壁部材が、第２吐水部から吐水される洗浄水の流れを前後方向に独立した２つ以上の流れに分け、水流の前方向向きの速度成分を低減させるので、洗浄水は第２吐水部から従来よりも横方向に吐水され、ボウル部内の洗浄水を従来よりも縦方向（上下方向）に旋回させる流れを形成する。この従来よりも縦方向に旋回する流れは、さらに効率よく水面の浮遊汚物をトラップ管路内に押し込むことができ、よって汚物の排出性能を向上させることができる。さらに、洗浄後半において洗浄水の流量が減少する場合に、壁部材が、第２吐水部から吐水される洗浄水の流れを、ほぼ第２吐水部の後方側の１つの流れに形成することができる。そのため、洗浄後半においても、第２吐水部から吐水される洗浄水は水量が減少しても勢いを保ちつつ吐水される。よって、第２吐水部から吐水される洗浄水を洗浄後半においても効率良く洗浄に寄与させることができ、よって汚物の排出性能を向上させることができる。
【０００７】
本発明においては、好ましくは、壁部材は、第２吐水部又は第２吐水部外側の近傍に設けられている。
このように構成された本発明においては、壁部材が第２吐水部又は第２吐水部外側の近傍に設けられているので、第２吐水部から吐水される洗浄水の流れをより前後方向に独立した２つ以上の流れに分け、水流の前方向向きの速度成分をより低減させやすくすることができ、洗浄水は第２吐水部からより横方向に吐水され、ボウル部内の洗浄水を縦方向（上下方向）に旋回させる流れをより強く形成することができる。さらに、洗浄後半において洗浄水の流量が減少する場合に、壁部材が、第２吐水部から吐水される洗浄水の流れを、ほぼ第２吐水部の後方側の１つの流れに形成しやすくすることができる。そのため、洗浄後半においても、第２吐水部から吐水される洗浄水は水量が減少しても勢いをより保ちつつ吐水される。よって、第２吐水部から吐水される洗浄水を吐水開始時から洗浄後半までより効率良く洗浄に寄与させることができ、よって汚物の排出性能を向上させることができる。
【０００８】
本発明において、好ましくは、壁部材は、第２吐水部の上面から底面まで延びて形成されている。
このように構成された本発明においては、壁部材が、第２吐水部の上面から底面まで延びて形成されているので、第２吐水部から吐水される洗浄水の流れをより前後方向に独立した２つ以上の流れに分け、水流の前方向向きの速度成分をより低減させやすくすることができる。さらに、洗浄後半において洗浄水の流量が減少する場合に、壁部材が、第２吐水部から吐水される洗浄水の流れを、ほぼ第２吐水部の後方側の１つの流れに形成しやすくすることができる。そのため、洗浄後半においても、第２吐水部から吐水される洗浄水は水量が減少しても勢いをより保ちつつ吐水させることができる。
【０００９】
本発明において、好ましくは、壁部材は、ほぼ円柱状に形成され、上下方向にほぼ垂直に配置されている。
このように構成された本発明においては、壁部材は、ほぼ円柱状に形成されているので、第２通水路内を流れる洗浄水が衝突する場合の圧力損失を比較的低減しながら前後方向に独立した２つ以上の流れに分け、水流の前方向向きの速度成分をより低減させることができ、洗浄水は第２吐水部から従来よりも横方向に吐水され、ボウル部内の洗浄水を縦方向（上下方向）に旋回させる流れをその勢いをより強く形成することができる。
【００１０】
本発明において、好ましくは、壁部材は、上記第２吐水部から上流側に所定長さ延びる壁を形成している。
このように構成された本発明においては、壁部材は、第２吐水部から上流側に所定長さ延びる壁を形成しているので、洗浄水を積極的にガイドすることができ、第２吐水部から吐水される洗浄水を、水流の前方向向きの速度成分を低減させ、横方向に誘導し易くすることができ、ボウル部内の洗浄水を縦方向（上下方向）に旋回させる流れをその勢いをより強く形成することができる。さらに、洗浄後半において洗浄水の流量が減少する場合に、壁部材が、第２吐水部から吐水される洗浄水の流れを、ほぼ第２吐水部の後方側の１つの流れに形成しやすくすることができる。そのため、洗浄後半においても、第２吐水部から吐水される洗浄水は水量が減少しても流れの勢いをより保ちつつ吐水させることができる。
【００１１】
本発明において、好ましくは、壁部材は、上記第２吐水部の外側の近傍に形成され、便器内側後方向きに突出して形成されている。
このように構成された本発明においては、壁部材は、第２吐水部の外側の近傍に形成され、便器内側後方向きに突出して形成されているので、第２吐水部から吐水される洗浄水の流れを、水流の前方向向きの速度成分を低減させ、さらに第２吐水部から便器内側後方向きに吐水させることができ、ボウル部内の洗浄水を従来よりも縦方向（上下方向）に旋回させる流れを形成することができる。
【発明の効果】
【００１２】
本発明の水洗大便器によれば、第２吐水部から吐水される洗浄水の前方向向きの速度成分を低減させて、従来よりも横方向に吐水させ、ボウル部内の洗浄水を従来よりも縦方向に旋回させる流れを形成して、汚物の排出性能を向上することができる。
【図面の簡単な説明】
【００１３】
【図１】本発明の第１実施形態による水洗大便器の側面断面図である。
【図２】図１の水洗大便器の第２通水路及び第２吐水口の位置を説明のために示した状態の平面図である。
【図３】図１のIII−III線に沿って見た正面断面図である。
【図４】図１のIV−IV線に沿って見た正面断面図である。
【図５】本発明の第１実施形態による水洗大便器の第２通水路、第２吐水口及び壁部材を概略的に示す図である。
【図６】本発明の第１実施形態による水洗大便器における洗浄水の瞬間流量と時間との関係を示す線図である。
【図７】本発明の第２実施形態による水洗大便器の第２通水路、第２吐水口及び壁部材を概略的に示す図である。
【図８】本発明の第３実施形態による水洗大便器の第２通水路、第２吐水口及び壁部材を概略的に示す図である。
【発明を実施するための最良の形態】
【００１４】
次に、図１乃至図６を参照して、本発明の第１実施形態を説明する。ここで、図１は、本発明の第１実施形態による水洗大便器の側面断面図であり、図２は、図１の水洗大便器の平面図であり、図３は、図１のIII−III線に沿って見た正面断面図であり、図４は、図１のIV−IV線に沿って見た正面断面図であり、図５は、本発明の第１実施形態による水洗大便器の第２通水路、第２吐水口及び壁部材を概略的に示す図であり、図６は本発明の第１実施形態による水洗大便器における洗浄水の瞬間流量と時間との関係を示す線図である。
【００１５】
先ず、図１乃至４に示すように、本発明の第１実施形態による水洗大便器１は、トラップ管路内の水位上昇による落差を利用して汚物を排出する洗い落とし式水洗大便器（ウオッシュダウン式便器）であり、便器本体２と、この便器本体２の後方上部に取り付けられたフラッシュバルブ（図示せず）を備えている。フラッシュバルブは、水道等の給水管（図示せず）と連通し、フラッシュバルブ内には、給水弁（図示せず）が設けられており、操作レバー（図示せず）により開閉するようになっている。本実施形態による水洗大便器においては、使用者が操作レバー（図示せず）を操作すると、例えば、１回に６リットルの洗浄水が、便器本体２に供給されるようになっている。なお、本実施形態では、上述した洗い落し式水洗大便器にフラッシュバルブを適用した例について説明するが、このような洗い落し式水洗大便器に限定されず、サイホン作用を利用してボウル部内の汚物を吸い込んで排水トラップ管路から一気に外部に排出する、いわゆる、サイホン式の水洗大便器等の他のタイプの水洗便器にも適用可能である。
【００１６】
便器本体２は、ボウル部４と、このボウル部４の底部から連通して延びるトラップ管路６を有する。ボウル部４は、ボウル形状の汚物受け面８と、この汚物受け面８の上方に位置しその内周面の上部が内方へ向かって張り出しているリム部１０と、汚物受け面８の下方に形成された溜水部１２とを備えている。
【００１７】
トラップ管路６は、ボウル部４の底部に開口した入口６ａから斜め上方に延び、最高点６ｂを通った後、斜め下方に延びて、出口６ｃに達し、図示しない排水管に接続されている。水洗大便器１の使用時において、待機時の溜水水位である初期溜水水位Ｌは、トラップ管路６の最高点６ｂの高さと等しくなるので、水洗大便器１の初期溜水水位Ｌは、トラップ管路６の形状により規定される。
【００１８】
ボウル部４の汚物受け面８の上縁には、リム部１０に沿ってほぼ水平面上に延びる第１棚部１４が形成されている。この第１棚部１４は、正面から見てボウル部４の左側後部から、ボウル部４の前部を通って、右側後部まで、ボウル部４の内周に沿って延びている。さらに、第１棚部１４は、その外周部から内周部へ向けて低くなるように内側に傾斜して形成されている。
【００１９】
ボウル部４の左側後部に位置する第１棚部１４の基端には、洗浄水を吐水させる第１吐水口１６が形成されている。第１吐水口１６から吐水された洗浄水は、第１棚部１４に沿ってリム部１０の内周を旋回しながら下方に落下し、汚物受け面８を洗浄するようになっている。
【００２０】
ボウル部４の汚物受け面８の正面から見て左側側面の中腹には、水平方向からやや前方側に傾斜し、且つその外周部から内周部へ向けて低くなるように内側に傾斜して延びる第２棚部１８が形成されている。この第２棚部１８は、ボウル部４の左側後部から、ボウル部４の側面部の前部寄りの位置にある第２棚部先端部１８ａまで延びている。さらに、第２棚部１８の上方には、第２棚部１８の上に覆い被さるように張り出した張出し部２０が形成されている。
【００２１】
この第２棚部１８の第２棚部先端部１８ａと張出し部２０の下端の間には、ほぼ水平方向に延びるスリット形状の第２吐水口２２が便器横向きに開口するように形成されている。この第２吐水口２２は、ボウル部４の左側側面で、第１棚部１４よりも下方で初期溜水水位Ｌよりも上方に位置している。ボウル部４の初期溜水水位Ｌよりも下方且つ第２吐水口２２から見て中心方向斜め前方側の位置に、ほぼ水平方向に傾斜して延びる段部２４が、形成されている。
【００２２】
ここで、便器本体２の後部には、通水室２６が形成され、この通水室２６の後端側はフラッシュバルブに連通し、フラッシュバルブから洗浄水が供給されるようになっている。
また、この通水室２６の先端側には、第１吐水口１６に洗浄水を供給する第１通水路２８と、さらに、第１通水路２８と分岐して第２吐水口２２に洗浄水を供給する第２通水路３０が設けられている。
【００２３】
第２通水路３０は、洗浄水が流入する第２通水路流入口３２と、洗浄水が第２通水路流入口３２から流下する立下部３４と、立下部の下端から前方側わずかに下るように傾斜する平坦底を形成している前方向き平坦部３６と、前方向き平坦部３６の前方側に第２棚部１８とを備えている。すなわち、第２吐水口２２は、第２通水路３０の第２棚部１８の第２棚部先端部１８ａにおいて形成されている。第２通水路３０の開口面積及び第２棚部１８の開口面積はこれらの開口面積の大きさが従来と比較して変わらない大きさに形成されている。
前方向き平坦部３６は、立下部３４から流下した洗浄水が前方側に向かって流れる流路を形成している。
第２棚部１８は、前方向き平坦部３６の前方側で、９０度程度屈曲して溜水部１２に向かうような流路を形成している。
【００２４】
次に、図４により、本発明の第１実施形態による水洗大便器１の壁部材３８について詳細に説明する。
本発明の第１実施形態による水洗大便器１においては、第２吐水口２２のほぼ中央において、第２棚部１８から張出し部２０まで上下方向に垂直に立ち上がるほぼ円柱状の壁部材３８が形成されている。この壁部材３８は、第２吐水口２２を前側第２吐水口２２ａと、後側第２吐水口２２ｂとの２つの開口に分けている。
壁部材３８は、前方向き平坦部３６と、溜水部１２前方側の段部２４とをほぼ直線的に結ぶ領域(例えば後述する主領域Ａ)の全部又は一部を遮るような位置に形成され、前方向向きの速度成分を有する水流の全部又は一部を阻害しながら流れを分岐させ且つ水流の前方向向きの速度成分を低減させるように横方向に延びる面を有している。壁部材３８は、第２通水路３０内の流路の一部及び/又は第２吐水口２２の流路の全部又は一部を前後方向に独立した２つ以上の流路に分け、２つ以上の横向き流路を形成している。
この壁部材３８は、第２通水路３０内、又は第２吐水口２２の外側に設けられてもよい。例えば、壁部材が、第２吐水口２２よりも上流側の第２通水路３０内において参照符号Ｗで示すような場所に設けられていてもよい。
【００２５】
壁部材３８は、円柱状以外にも楕円形状、壁形状、四角柱形状、三角柱形状等に形成されていてもよい。
また、壁部材３８は、第２棚部１８から張出し部２０まで上下方向に垂直に立ち上がる形状の他、第２棚部１８から張出し部２０まで上下方向に斜めに傾斜しながら立ち上がる形状、他の向きに直線的に立ち上がる形状、他の湾曲しながら立ち上がる形状に形成されていてもよい。
壁部材３８は、壁部材により分かれる洗浄水の圧力損失を比較的低減するように、壁部材３８の前後方向の長さ（厚み）が比較的小さく（薄く）形成されている。また、壁部材３８は、外周がほぼ円柱状に形成されているので、壁部材３８により分かれる洗浄水の圧力損失を比較的低減することができる。
【００２６】
ここで、壁部材３８は、第２棚部１８から張出し部２０方向に突出し且つ張出し部２０まで到達していない長さを有する突起形状に形成されてもよく、又は逆に、張出し部２０から第２棚部１８方向に突出し且つ第２棚部１８まで到達していない長さを有する突起形状に形成されてもよい。
また、壁部材３８は、便器本体２と一体成形により形成されてもよく、又は便器本体２に樹脂等の別部材を取付けることにより形成されてもよい。
さらに、２つ以上の壁部材３８が、第２通水路３０又は第２吐水口２２において、水流の前方向向きの速度成分を低減させるように配置されてもよい。
【００２７】
次に、上述した本発明の第１実施形態による水洗大便器１の作用を説明する。先ず、水洗大便器１の待機状態においては、ボウル部４内の溜水部１２の水位は、初期溜水水位Ｌとなっている。次に、使用者が操作レバー（図示せず）を操作すると、フラッシュバルブの給水弁（図示せず）が開となり、フラッシュバルブから供給された洗浄水が、通水室２６を経て、第１通水路２８及び第２通水路３０に至る。
【００２８】
第１通水路２８から第１吐水口１６に供給された洗浄水は、第１吐水口１６から吐水されて旋回流を形成し、第１棚部１４に沿って流れ、旋回しながらボウル部４の汚物受け面８を洗浄して、ボウル部４の底部に流入する。
【００２９】
一方、第２通水路３０に流入する洗浄水は、第２通水路流入口３２から立下部３４を鉛直方向下方に流下し、立下部３４から前方に向かう前方向き平坦部３６に流入して前方に向かう流れを形成する。よって、前方向き平坦部３６から第２棚部１８に流入する洗浄水は、水流の前方方向向きの速度成分を多く有している。
従って、本発明の第１実施形態による水洗大便器１の壁部材３８が設けられていない場合には、前方向き平坦部３６から第２棚部１８に流入する洗浄水は、第２棚部１８において流路が約９０度屈曲するとき、水流の前方方向向きの速度成分を多く維持したまま、例示として仮想的に示す主領域Ａのような流れ領域を形成しやすくなる。
これに対し、本発明の第１実施形態による水洗大便器１の壁部材３８が設けられている場合には、前方向き平坦部３６から溜水部１２前方側の段部２４に向かって流れようとする洗浄水の流れが、壁部材３８に衝突し、水流の前方方向向きの速度成分が低減される。また、言い換えれば、壁部材３８が、洗浄水の流れが有している前方向に向かうエネルギーを小さくさせ、洗浄水の流れを、主に横方向に方向転換させることができる。
さらに、前方向き平坦部３６から第２棚部１８に流入する洗浄水が、壁部材３８により前後方向に独立した二つの流れに分離されて、壁部材３８に沿って段部２４より後方側の溜水部１２の中央方向に向かう矢印Ｆ１及びＦ２のような流れを形成する。
壁部材３８の前方側領域を流れる洗浄水は、矢印Ｆ１に示すように、通水路内の洗浄水と空気の関係により、壁部材３８において分岐された洗浄水が第２通水路前壁３０ａにおいて横向きに水流の向きを変えるので、水流の前方向向きの速度成分が低減され、壁部材３８を回り込むようにして、壁部材３８と第２通水路前壁３０ａとの間を第２通水路前壁３０ａに沿って流れ、便器横方向に前側第２吐水口２２ａに向かって流れる。
壁部材３８の後方側領域を流れる洗浄水は、矢印Ｆ２に示すように、壁部材３８に衝突して、水流の前方方向向きの速度成分が低減され、壁部材３８によって導かれるようにして便器横方向に後側第２吐水口２２ｂに向かって流れる。
【００３０】
よって、第２吐水口２２から吐水される洗浄水は、矢印Ｆ１に示すように、前側第２吐水口２２ａから主に溜水部１２に向かって横向きに吐水される洗浄水と、矢印Ｆ２に示すように、後側第２吐水口２２ｂから溜水部１２に向かって横向きに吐水される洗浄水とを形成する。
前側第２吐水口２２ａから横向きに吐水された洗浄水と、後側第２吐水口２２ｂから横向きに吐水された洗浄水とは、溜水部１２上でほぼ一体となって、横方向に対してほぼ垂直に上昇するような縦方向（上下方向）の旋回流Ｄを形成してボウル部４内の溜水を上下方向に攪拌する。
この旋回流Ｄは、従来よりも水流の前方方向向きの速度成分が低減されているので、従来よりもより垂直に近い回転面を有する縦方向の旋回流に形成されている。
【００３１】
この縦方向の旋回流Ｄは、ボウル部４内に滞留しながら、洗浄前に溜水面に浮いていた浮遊系汚物を溜水中に沈め、この浮遊系汚物と溜水中に沈んでいた汚物とが旋回中心に集約し、その後、縦方向の旋回流Ｄによるボウル部４内の水位上昇によりトラップ管路６内の水位も上昇してトラップ管路６内の汚物を排出するために必要な落差が確保されたとき、浮遊系汚物と溜水中に沈んでいた汚物を効果的に排出することができる。
【００３２】
図６に示すように、使用者の操作開始から所定時間経過後にフラッシュバルブの給水弁（図示せず）の閉動作により、瞬間流量が低減する。この便器の洗浄動作の後半から終わりにかけて、洗浄水の流量が減少するとき、図５に示すように、第２通水路３０を流れる洗浄水は、Ｆ３に示すように、前方向き平坦部３６から前方向き平坦部３６により近い後側第２吐水口２２ｂに流れ、後側第２吐水口２２ｂから溜水部１２に向かって横向きに吐水される洗浄水を形成する。このとき、前側第２吐水口２２ａからは洗浄水がほぼ吐水されていない状態となっている。後側第２吐水口２２ｂから吐水された洗浄水は、溜水部１２近傍に流下する。
このように、洗浄後半から終わりにかけて、洗浄水が、水量が低減して収束していく場合にも、比較的水勢を保ったまま後側第２吐水口２２ｂから溜水部１２に向かって横向きに吐水され、溜水部１２の溜水面に浮いていた浮遊系汚物を溜水中に押し込んで沈め、浮遊系汚物と溜水中に沈んでいた汚物を効果的に排出することに寄与することができる。
このようにして、便器本体２から汚物が排出され、フラッシュバルブの給水弁（図示せず）が閉止されて一連の洗浄動作が終了する。
【００３３】
なお、本発明の各実施形態における変形例としては、水洗大便器１は、フラッシュバルブに代えて、便器本体２の後方上部に取り付けられた貯水タンクを備え、この貯水タンクには、排水弁が設けられ、操作レバーの操作により開閉し、便器本体２へ洗浄水を供給する、ように形成することができる。
フラッシュバルブに代えて貯水タンクを設けた水洗大便器においても、図６に示すように、所定時間経過後に貯水タンクの排水弁が閉となり、瞬間流量が低減する。この場合においても、この便器の洗浄動作の後半から終わりにかけて、洗浄水の流量が減少するとき、第２通水路３０を流れる洗浄水は、Ｆ３に示すように、前方向き平坦部３６から後側第２吐水口２２ｂに流れ、後側第２吐水口２２ｂから溜水部１２に向かって横向きに吐水される洗浄水を形成する。このように、洗浄後半から終わりにかけて、洗浄水が、水量が低減して収束していく場合にも、比較的水勢を保ったまま後側第２吐水口２２ｂから溜水部１２に向かって横向きに吐水され、溜水面に浮いていた浮遊系汚物を溜水中に沈め、浮遊系汚物と溜水中に沈んでいた汚物を効果的に排出することに寄与することができる。
【００３４】
次に、上述した本発明の第１実施形態による水洗大便器の効果を説明する。
上述した本発明の第１実施形態による水洗大便器によれば、壁部材３８が、第２吐水口２２から吐水される洗浄水の流れを前後方向に独立した２つ以上の流れに分け、水流の前方向向きの速度成分を低減させるので、洗浄水は第２吐水口２２から従来よりも横方向に吐水され、ボウル部４内の洗浄水を従来よりも縦方向（上下方向）に旋回させる流れを形成する。この従来よりも縦方向に旋回する流れは、さらに効率よく水面の浮遊汚物をトラップ管路６内に押し込むことができ、よって汚物の排出性能を向上させることができる。さらに、洗浄後半において洗浄水の流量が減少する場合に、壁部材３８が、第２吐水口２２から吐水される洗浄水の流れを、ほぼ第２吐水口２２の後方側の１つの流れに形成することができる。そのため、洗浄後半においても、第２吐水口２２から吐水される洗浄水は水量が減少しても勢いを保ちつつ吐水される。よって、第２吐水口２２から吐水される洗浄水を洗浄後半においても効率良く洗浄に寄与させることができ、よって汚物の排出性能を向上させることができる。
【００３５】
また、本発明の第１実施形態による水洗大便器１によれば、壁部材３８が第２吐水口２２又は第２吐水口２２外側の近傍に設けられているので、第２吐水口２２から吐水される洗浄水の流れをより前後方向に独立した２つ以上の流れに分け、水流の前方向向きの速度成分をより低減させやすくすることができ、洗浄水は第２吐水口２２からより横方向に吐水され、ボウル部４内の洗浄水を縦方向（上下方向）に旋回させる流れをより強く形成することができる。さらに、洗浄後半において洗浄水の流量が減少する場合に、壁部材３８が、第２吐水口２２から吐水される洗浄水の流れを、ほぼ第２吐水口２２の後方側の１つの流れに形成しやすくすることができる。そのため、洗浄後半においても、第２吐水口２２から吐水される洗浄水は水量が減少しても勢いをより保ちつつ吐水される。よって、第２吐水口２２から吐水される洗浄水を吐水開始時から洗浄後半までより効率良く洗浄に寄与させることができ、よって汚物の排出性能を向上させることができる。
【００３６】
また、本発明の第１実施形態による水洗大便器１によれば、壁部材３８が、第２通水路３０の一部及び/又は第２吐水口２２の上面の張出し部２０から底面の第２棚部１８まで延びて形成されているので、第２吐水口２２から吐水される洗浄水の流れをより前後方向に独立した２つ以上の流れに分け、水流の前方向向きの速度成分をより低減させやすくすることができる。さらに、洗浄後半において洗浄水の流量が減少する場合に、壁部材３８が、第２吐水口２２から吐水される洗浄水の流れを、ほぼ第２吐水口２２の後方側の１つの流れに形成しやすくすることができる。そのため、洗浄後半においても、第２吐水口２２から吐水される洗浄水は水量が減少しても勢いをより保ちつつ吐水させることができる。
【００３７】
また、本発明の第１実施形態による水洗大便器によれば、壁部材３８は、ほぼ円柱状に形成されているので、第２通水路３０内を流れる洗浄水が壁部材３８に衝突する場合の圧力損失を比較的低減しながら前後方向に独立した２つ以上の流れに分け、水流の前方向向きの速度成分をより低減させることができ、洗浄水は第２吐水口２２から従来よりも横方向に吐水され、ボウル部４内の洗浄水を縦方向（上下方向）に旋回させる流れをその勢いをより強く形成することができる。
【００３８】
また、本発明の第１実施形態による水洗大便器１によれば、壁部材３８は、第２吐水口２２から上流側に所定長さ延びる壁を形成しているので、洗浄水を積極的にガイドすることができ、第２吐水口２２から吐水される洗浄水を、水流の前方向向きの速度成分を低減させ、横方向に誘導し易くすることができ、ボウル部４内の洗浄水を縦方向（上下方向）に旋回させる流れをその勢いをより強く形成することができる。さらに、洗浄後半において洗浄水の流量が減少する場合に、壁部材３８が、第２吐水口２２から吐水される洗浄水の流れを、ほぼ第２吐水口２２の後方側の１つの流れに形成しやすくすることができる。そのため、洗浄後半においても、第２吐水口２２から吐水される洗浄水は水量が減少しても流れの勢いをより保ちつつ吐水させることができる。
【００３９】
次に、図７により、本発明の第２実施形態による水洗大便器１０１を説明する。
図７は本発明の第２実施形態による水洗大便器の第２通水路３０、第２吐水口２２及び壁部材１３８を概略的に示す図である。第２実施形態による水洗大便器の構造は、上述した第１実施形態とほぼ同じであるため、ここでは、第１実施形態の水洗大便器の部分と同一の部分については同一の符号を付し、これらの説明については省略し、第２実施形態の第１実施形態とは異なる部分のみを説明する。
なお、図７においては、第２通水路３０及び第２吐水口２２において、壁部材１３８の前方側領域から横方向に流れる洗浄水の流れを矢印Ｆ４で示し、壁部材１３８の後方側領域から横方向に流れる洗浄水の流れを矢印Ｆ５で示し、便器の洗浄後半において、洗浄水の流量が減少するとき、第２通水路３０を流れる洗浄水の流れを矢印Ｆ６で示している。
【００４０】
図７により、本発明の第２実施形態による水洗大便器１０１の壁部材１３８について詳細に説明する。
本発明の第２実施形態による水洗大便器においては、第２吐水口２２のほぼ中央において、第２棚部１８から張出し部２０まで上下方向に垂直に立ち上がる壁状の壁部材が、第２棚部１８のほぼ中央を便器外側に向かって上流側に延ばされ、その壁部材１３８の上流端１３８ａが第２棚部１８から前方向き平坦部３６の流路の左右方向中央に向かうようにわずかに屈曲して形成されている。すなわち、壁部材１３８が前方向き平坦部３６より下流側の流路を2つに分けるような壁面を形成している。
壁部材１３８は、第２吐水口２２から上流側に第２通水路３０の前方向き平坦部３６のほぼ中央まで延びる壁を形成している。壁部材１３８は、前方向き平坦部３６と、溜水部１２前方側の段部２４とをほぼ直線的に結ぶ領域の一部又は全部を遮るような位置に形成されている。
壁部材１３８は、壁部材１３８に衝突する洗浄水の圧力損失を比較的低減するように、壁部材１３８の厚みが比較的小さく（薄く）形成されている。また、壁部材１３８は、壁部材１３８の上流端１３８ａが丸みを帯びて形成されているので、壁部材１３８により分かれる洗浄水の圧力損失を比較的低減することができる。
【００４１】
次に、図７を参照して、本発明の第２実施形態による水洗大便器１０１の作用を説明する。第２実施形態による水洗大便器の作用は、上述した第１実施形態とほぼ同じであるため、ここでは、第１実施形態の水洗大便器の作用とほぼ同一の作用については、これらの説明を省略し、第２実施形態の第１実施形態とは異なる部分を説明する。
【００４２】
第２通水路３０に流入する洗浄水は、第２通水路流入口３２から立下部３４を鉛直方向下方に流下し、立下部３４から前方に向かう前方向き平坦部３６に流入して前方に向かう流れを形成する。よって、前方向き平坦部３６から第２棚部１８に流入する洗浄水は、水流の前方方向向きの速度成分を多く有している。
本発明の第２実施形態による水洗大便器１０１の壁部材１３８が設けられている場合には、前方向き平坦部３６から溜水部１２前方側の段部２４に向かって流れようとする洗浄水の流れが、第２棚部１８において壁部材１３８に衝突し、２つの流れに分けられる。
さらに、この壁部材１３８により二つに分離された洗浄水は、壁部材１３８に沿って前方向から横方向に方向を変えるようにガイドされることにより水流の前方方向向きの速度成分が低減され、段部２４より後方側の溜水部１２の中央方向に向かう矢印Ｆ４及びＦ５のような流れを形成する。
壁部材１３８の前方側領域を流れる洗浄水は、矢印Ｆ４に示すように、壁部材１３８を回り込むようにして、壁部材１３８と第２通水路前壁３０ａとの間を第２通水路前壁３０ａに沿って流れ、便器横方向に前側第２吐水口２２ａに向かって流れる。
壁部材１３８の後方領域を流れる洗浄水は、矢印Ｆ５に示すように、壁部材１３８によりガイドされて、水流の前方方向向きの速度成分が低減され、壁部材１３８によって導かれるようにして便器横方向に後側第２吐水口２２ｂに向かって流れる。
【００４３】
よって、第２吐水口２２から吐水される洗浄水は、矢印Ｆ４に示すように、前側第２吐水口２２ａから主に溜水部１２に向かって横向きに吐水される洗浄水と、矢印Ｆ５に示すように、後側第２吐水口２２ｂから溜水部１２に向かって横向きに吐水される洗浄水とを形成する。
前側第２吐水口２２ａから横向きに吐水された洗浄水と、後側第２吐水口２２ｂから横向きに吐水された洗浄水とは、溜水部１２上でほぼ一体となって、横方向に対してほぼ垂直に上昇するような縦方向（上下方向）の旋回流Ｄを形成してボウル部４内の溜水を上下方向に攪拌する。
この旋回流Ｄは、従来よりも水流の前方方向向きの速度成分が低減されているので、従来よりもより垂直に近い回転面を有する縦方向の旋回流に形成されている。
【００４４】
また、使用者の操作開始から所定時間経過後にフラッシュバルブの給水弁（図示せず）が閉となり、瞬間流量が低減する。この便器の洗浄動作の後半から終わりにかけて、洗浄水の流量が減少するとき、例えば洗浄水の流量がちょろちょろ流れるように減少してきたとき、第２通水路３０を流れる洗浄水は、Ｆ６に示すように、壁部材１３８によりガイドされて、前方向き平坦部３６から後側第２吐水口２２ｂに流れ、後側第２吐水口２２ｂから溜水部１２に向かって横向きに吐水される洗浄水を形成する。このとき、前側第２吐水口２２ａからは洗浄水がほぼ吐水されていない状態となっている。後側第２吐水口２２ｂから吐水された洗浄水は、溜水部１２近傍に流下する。
このように、洗浄後半から終わりにかけて、洗浄水が、水量が低減して収束していく場合にも、比較的水勢を保ったまま後側第２吐水口２２ｂから溜水部１２に向かって横向きに吐水され、溜水面に浮いていた浮遊系汚物を溜水中に押し込んで沈め、浮遊系汚物と溜水中に沈んでいた汚物を効果的に排出することに寄与することができる。
このようにして、便器本体２から汚物が排出され、フラッシュバルブの給水弁（図示せず）が閉止されて一連の洗浄動作が終了する。
【００４５】
本発明の第２実施形態による水洗大便器１０１によれば、壁部材１３８は、第２吐水口２２から上流側に所定長さ延びる壁を形成しているので、洗浄水を積極的にガイドすることができ、第２吐水口２２から吐水される洗浄水を、水流の前方向向きの速度成分を低減させ、横方向に誘導し易くすることができ、ボウル部４内の洗浄水を縦方向（上下方向）に旋回させる流れをその勢いをより強く形成することができる。さらに、洗浄後半において洗浄水の流量が減少する場合に、壁部材１３８が、第２吐水口２２から吐水される洗浄水の流れを、ほぼ第２吐水口２２の後方側の１つの流れに形成しやすくすることができる。そのため、洗浄後半においても、第２吐水口２２から吐水される洗浄水は水量が減少しても流れの勢いをより保ちつつ吐水させることができる。
【００４６】
次に、図８により、本発明の第３実施形態による水洗大便器２０１を説明する。
図８は本発明の第３実施形態による水洗大便器の第２通水路３０、第２吐水口２２及び壁部材２３８を概略的に示す図である。第３実施形態による水洗大便器の構造は、上述した第１実施形態とほぼ同じであるため、ここでは、第１実施形態の水洗大便器の部分と同一の部分については同一の符号を付し、これらの説明については省略し、第３実施形態の第１実施形態とは異なる部分のみを説明する。
なお、図８においては、第２通水路３０及び第２吐水口２２において、壁部材２３８の前方側領域から横方向に流れる洗浄水の流れを矢印Ｆ７で示し、壁部材２３８の後方側領域から横方向に流れる洗浄水の流れを矢印Ｆ８で示し、便器の洗浄後半において、洗浄水の流量が減少するとき、第２通水路３０を流れる洗浄水の流れを矢印Ｆ９で示している。
【００４７】
図８により、本発明の第３実施形態による水洗大便器２０１の壁部材２３８について詳細に説明する。
本発明の第３実施形態による水洗大便器２０１においては、第２吐水口２２のほぼ中央の外側において、第２棚部先端部１８ａの下方から張出し部２０まで上下方向に垂直に立ち上がるほぼ円柱状の壁部材２３８が形成されている。すなわち、壁部材２３８は、第２吐水口２２の第２棚部先端部１８ａから張出し部２０までの吐水方向側の中心近傍を一部覆うように上下に配置されている。この壁部材２３８は、第２吐水口２２の外側の近傍から、便器内側後方向きに若干の長さにわたって突出するように形成されている。これにより、第２吐水口２２の後側第２吐水口２２ｂから吐水される洗浄水を便器内側後方向きに吐水させて洗浄水がボウル部４の溜水部１２前側の段部２４へ向かうのを抑制することができる。
壁部材２３８は、前方向き平坦部３６と、溜水部１２前方側の段部２４とをほぼ直線的に結ぶ領域の全部又は一部を遮るような位置に形成されている。
【００４８】
次に、本発明の第３実施形態による水洗大便器２０１の作用を説明する。第３実施形態による水洗大便器の作用は、上述した第１実施形態とほぼ同じであるため、ここでは、第１実施形態の水洗大便器の作用とほぼ同一の作用については、これらの説明を省略し、第２実施形態の第１実施形態とは異なる部分を説明する。
【００４９】
第２通水路３０に流入する洗浄水は、第２通水路流入口３２から立下部３４を鉛直方向下方に流下し、立下部３４から前方に向かう前方向き平坦部３６に流入して前方に向かう流れを形成する。よって、前方向き平坦部３６から第２棚部１８に流入する洗浄水は、水流の前方方向向きの速度成分を多く有している。
本発明の第３実施形態による水洗大便器２０１の壁部材２３８が設けられている場合には、第２棚部１８から第２吐水口２２に向かって流れようとする洗浄水の流れが、第２吐水口２２の外側に形成された壁部材２３８に衝突し、水流の前方方向向きの速度成分が低減される。
さらに、第２吐水口２２から吐水される洗浄水が、第２吐水口２２の外側の壁部材２３８により二つに分離されて、壁部材２３８に沿って段部２４より後方側の溜水部１２の中央方向に向かう矢印Ｆ７及びＦ８のような流れを形成する。
壁部材２３８の前方側領域を流れる洗浄水は、矢印Ｆ７に示すように、壁部材２３８を回り込むようにして、壁部材２３８と第２通水路前壁３０ａとの間を第２通水路前壁３０ａに沿って流れ、便器横方向に前側第２吐水口２２ａに向かって流れる。
壁部材２３８の後方領域を流れる洗浄水は、矢印Ｆ８に示すように、壁部材２３８に衝突して、水流の前方方向向きの速度成分が低減され、壁部材２３８によって導かれるようにして便器横方向に後側第２吐水口２２ｂに向かって流れる。
【００５０】
よって、第２吐水口２２から吐水される洗浄水は、矢印Ｆ７に示すように、前側第２吐水口２２ａから主に溜水部１２に向かって横向きに吐水される洗浄水と、矢印Ｆ８に示すように、後側第２吐水口２２ｂから便器内側後方向きに溜水部１２に向かって吐水される洗浄水とを形成する。
ここで、壁部材２３８は、第２吐水口２２の外側の近傍に形成され、便器内側後方向きに突出して形成されているので、後側第２吐水口２２ｂから吐水される洗浄水の流れを、水流の前方向向きの速度成分を低減させ、さらに後側第２吐水口２２ｂから便器内側後方向きに吐水させることができる。
前側第２吐水口２２ａから横向きに吐水された洗浄水と、後側第２吐水口２２ｂから横向きに吐水された洗浄水とは、溜水部１２上でほぼ一体となって、横方向に対してほぼ垂直に上昇するような縦方向（上下方向）の旋回流Ｄを形成してボウル部４内の溜水を上下方向に攪拌する。
この旋回流Ｄは、従来よりも水流の前方方向向きの速度成分が低減されているので、従来よりもより垂直に近い回転面を有する縦方向の旋回流に形成されている。
【００５１】
また、使用者の操作開始から所定時間経過後にフラッシュバルブの給水弁（図示せず）が閉となり、瞬間流量が低減する。この便器の洗浄動作の後半から終わりにかけて、洗浄水の流量が減少するとき、第２通水路３０を流れる洗浄水は、Ｆ９に示すように、第２吐水口２２の外側の壁部材２３８によりガイドされて、後側第２吐水口２２ｂから便器内側後方向きに吐水させることができる。このとき、前側第２吐水口２２ａからは洗浄水がほぼ吐水されていない状態となっている。後側第２吐水口２２ｂから吐水された洗浄水は、溜水部１２近傍に流下する。このように、洗浄後半から終わりにかけて、洗浄水が、水量が低減して収束していく場合にも、比較的水勢を保ったまま後側第２吐水口２２ｂから溜水部１２に向かって横向き且つ内側後方向きに吐水され、溜水面に浮いていた浮遊系汚物を溜水中に押し込んで沈め、浮遊系汚物と溜水中に沈んでいた汚物を効果的に排出することに寄与することができる。このようにして、便器本体２から汚物が排出され、フラッシュバルブの給水弁（図示せず）が閉止されて一連の洗浄動作が終了する。
【００５２】
また、本発明の第３実施形態による水洗大便器２０１によれば、壁部材２３８は、第２吐水口２２の外側の近傍に形成され、便器内側後方向きに突出して形成されているので、第２吐水口２２から吐水される洗浄水の流れを、水流の前方向向きの速度成分を低減させ、さらに第２吐水口２２から便器内側後方向きに吐水させることができ、ボウル部４内の洗浄水を従来よりも縦方向（上下方向）に旋回させる流れを形成することができる。
【符号の説明】
【００５３】
１            水洗大便器
２            便器本体
４            ボウル部
６            トラップ管路
８            汚物受け面
１０          リム部
１２          溜水部
１６          第１吐水口
２２          第２吐水口
３０          第２通水路
３８          壁部材
１０１        水洗大便器
１３８        壁部材
２０１        水洗大便器
２３８        壁部材
Ａ            主領域
Ｄ            旋回流
Ｌ            初期溜水水位
【図１】
2015017460.tif 000003
【図２】
2015017460.tif 000004
【図３】
2015017460.tif 000005
【図４】
2015017460.tif 000006
【図５】
2015017460.tif 000007
【図６】
2015017460.tif 000008
【図７】
2015017460.tif 000009
【図８】
2015017460.tif 000010